(57)【特許請求の範囲】
【請求項１】
空気もしくは空気を主体とするガスを加熱された液相水と接触させ、高温の空気と液相水蒸気の混合物と低温の液相水を製造する増湿塔を有し、前記空気と水蒸気の混合物および低温液相水により、ガスタービン排ガスの熱回収と、圧縮機吐出空気の冷却を行う高湿分ガスタービンシステムにおいて、
上記増湿塔内部を複数に分割し、分割された各部それぞれに液相水を供給する管路と、
上記液相水を供給する管路にそれぞれ設けられた弁と、
上記増湿塔の出口の空気湿分を監視する湿分監視手段とを備え、
上記湿分監視手段は、上記増湿塔の空気出口の空気湿分を測定する湿度センサ、若しくは上記増湿塔の液相水出入り口の水温を測定する温度測定手段であり、
上記弁は上記湿分監視手段で監視した上記増湿塔の出口の空気湿分に応じて開度調節される弁であることを特徴とする高湿分ガスタービンシステム。
【請求項２】
請求項１に記載の高湿分ガスタービンシステムにおいて、
上記複数に分割された増湿塔内部の各部それぞれに空気を供給する管路と、
上記空気を供給する管路にそれぞれ設けた弁を備えたことを特徴とする高湿分ガスタービンシステム。
【請求項３】
請求項１に記載のガスタービンシステムにおいて、
上記増湿塔の内部は、上下方向に複数に分割したことを特徴とする高湿分ガスタービンシステム。
【請求項４】
請求項１に記載のガスタービンシステムにおいて、
上記増湿塔の内部は、周方向に複数に分割したことを特徴とする高湿分ガスタービンシステム。
【請求項５】
請求項１に記載のガスタービンシステムにおいて、
上記増湿塔の内部は、半径方向に複数に分割したことを特徴とする高湿分ガスタービンシステム。
【請求項６】
空気もしくは空気を主体とするガスを加熱された液相水と接触させ、高温の空気と液相水蒸気の混合物と低温の液相水を製造する増湿塔を有し、前記空気と水蒸気の混合物および低温液相水により、ガスタービン排ガスの熱回収と、圧縮機吐出空気の冷却を行う高湿分ガスタービンシステムにおいて、
上記増湿塔として、複数基の増湿塔を備え、これら複数基の増湿塔を並列に配置し、
複数基の増湿塔のそれぞれに液相水および空気を供給する管路と、
上記液相水を供給する管路にそれぞれ設けられた弁と、
上記増湿塔の出口の空気湿分を監視する湿分監視手段とを備え、
上記湿分監視手段は、上記増湿塔の空気出口の空気湿分を測定する湿度センサ、若しくは上記増湿塔の液相水出入り口の水温を測定する温度測定手段であり、
上記弁は上記湿分監視手段で監視した上記増湿塔の出口の空気湿分に応じて開度調節される弁であることを特徴とする高湿分ガスタービンシステム。
【発明の詳細な説明】
【０００１】
【発明の属する技術分野】
本発明は、空気と蒸気の混合物によってガスタービン排ガスの熱回収を行う高湿分ガスタービンシステムに関する。
【０００２】
【従来の技術】
高湿分ガスタービンシステム（ＡＨＡＴ）は、例えば、特公平１−３１０１２号公報に記載されているように、加熱された液相水と空気とを増湿塔内部で接触させ、増湿塔から空気と水蒸気の混合物と冷却された液相水を得て、前者を排ガスからの熱回収に、後者を圧縮機中間冷却および後置冷却、排ガスからの熱回収に用いる。
【０００３】
しかし、高湿分ガスタービンシステムでは、システムの起動時には次のような問題があった。すなわち、冷態起動時には圧縮機吐出空気が低温の増湿塔、再生器を通過するために冷却され、また増湿塔へ供給される液相水が低温であるため、酸素濃度の低い低温高湿の空気が燃焼器へ流入する。しかも起動後の低負荷時には燃料流量が小さいために燃空比も小さいので、燃焼器着火が困難であったり、たとえ着火しても燃焼振動の発生や失火などの可能性が大きくなり、安定した燃焼状態が得られにくいものである。
【０００４】
また、高湿分ガスタービンシステムを停止する際には、やはり燃料流量が小さくなるため起動時と同様に安定した燃焼状態が得られにくくなる。また、停止後には、システム全体の温度低下に伴い、増湿塔の下流側にあたる再生器、燃焼器、タービン、給水加熱器などの機器内で空気中の水分が凝結して流路の閉塞やエロージョンなどの問題を引起こす恐れがある。従ってシステム停止に際しては空気中の湿分を徐々に下げて各機器およびそれらを連結する配管内を乾燥させ、次回の起動に備える必要があると考えられる。
【０００５】
従って、高湿分ガスタービンシステムの起動、停止にあたっては、増湿塔から取り出される空気中の含有湿分量を任意に制御することが望まれる。
【０００６】
ここで、例えば、特開平２０００−２３０４３２号公報に記載のように、２つの増湿塔を備え、プラント負荷を大きくする場合には、第２の増湿塔により補助的に加湿し、負荷を小さくする場合には、第２の増湿塔による加湿を行わないようにすることが知られている。
【０００７】
【発明が解決しようとする課題】
しかしながら、特開平２０００−２３０４３２号公報に記載されてものでは、２つの増湿塔を直列に配置するものであるため、次のような問題があった。
【０００８】
第１には、増湿塔は圧力容器であるため、設置面積が大きくなり、複数の増湿塔を用いる場合、設置面積が増大するため、設置場所の自由度が低下するとともに、増湿塔のトータルの重量も増加するという問題があった。
【０００９】
第２には、２つの増湿塔を直列配置する場合、２つの増湿塔に流れる加湿された空気の流量は等しいため、それぞれ、同程度の大きさの増湿塔を用いる必要があり、設置場所の自由度がさらに低下するという問題があった。
【００１０】
本発明の第１の目的は、設置場所の自由度が大きく、増湿塔の重量を低減できる高湿分ガスタービンシステムを提供することにある。
【００１１】
また、本発明の第２の目的は、さらに、設置場所の自由度が大きい高湿分ガスタービンシステムを提供することにある。
【００１２】
【課題を解決するための手段】
（１）上記第１の目的を達成するために、本発明は、空気もしくは空気を主体とするガスを加熱された液相水と接触させ、高温の空気と液相水蒸気の混合物と低温の液相水を製造する増湿塔を有し、前記空気と水蒸気の混合物および低温液相水により、ガスタービン排ガスの熱回収と、圧縮機吐出空気の冷却を行う高湿分ガスタービンシステムにおいて、上記増湿塔内部を複数に分割し、分割された各部それぞれに液相水を供給する管路と、上記液相水を供給する管路にそれぞれ設けられた弁と、上記増湿塔の出口の空気湿分を監視する湿分監視手段とを備え、上記湿分監視手段は、上記増湿塔の空気出口の空気湿分を測定する湿度センサ、若しくは上記増湿塔の液相水出入り口の水温を測定する温度測定手段であり、上記増湿塔の空気出口の空気湿分を測定する湿度センサ、若しくは上記増湿塔の液相水出入り口の水温を測定する温度測定手段により、上記増湿塔の出口の空気湿分を監視する湿分監視手段とを備え、上記弁は上記湿分監視手段で監視した上記増湿塔の出口の空気湿分に応じて開度調節される弁である。
かかる構成により、設置場所の自由度を大きくでき、また、増湿塔の重量を低減し得るものとなる。
【００１３】
（２）上記（１）において、好ましくは、上記複数に分割された増湿塔内部の各部それぞれに空気を供給する管路と、上記空気を供給する管路にそれぞれ設けた弁を備えるようにしたものである。
【００１４】
（３）上記（１）において、好ましくは、上記増湿塔の内部は、上下方向に複数に分割したものである。
【００１５】
（４）上記（１）において、好ましくは、上記増湿塔の内部は、周方向に複数に分割したものである。
【００１６】
（５）上記（１）において、好ましくは、上記増湿塔の内部は、半径方向に複数に分割したものである。
【００１７】
（６）また、上記目的を達成するために、本発明は、空気もしくは空気を主体とするガスを加熱された液相水と接触させ、高温の空気と液相水蒸気の混合物と低温の液相水を製造する増湿塔を有し、前記空気と水蒸気の混合物および低温液相水により、ガスタービン排ガスの熱回収と、圧縮機吐出空気の冷却を行う高湿分ガスタービンシステムにおいて、上記増湿塔として、複数基の増湿塔を備え、これら複数基の増湿塔を並列に配置し、複数基の増湿塔のそれぞれに液相水および空気を供給する管路と、上記液相水を供給する管路にそれぞれ設けられた弁と、上記増湿塔の出口の空気湿分を監視する湿分監視手段とを備え、上記湿分監視手段は、上記増湿塔の空気出口の空気湿分を測定する湿度センサ、若しくは上記増湿塔の液相水出入り口の水温を測定する温度測定手段であり、上記増湿塔の空気出口の空気湿分を測定する湿度センサ、若しくは上記増湿塔の液相水出入り口の水温を測定する温度測定手段により、上記増湿塔の出口の空気湿分を監視する湿分監視手段とを備え、上記弁は上記湿分監視手段で監視した上記増湿塔の出口の空気湿分に応じて開度調節される弁である。
かかる構成により、さらに、設置場所の自由度を大きくし得るものとなる。
【００１８】
【発明の実施の形態】
以下、図１を用いて、本発明の第１の実施形態による高湿分ガスタービンシステムの構成について説明する。
図１は、本発明の第１の実施形態による高湿分ガスタービンシステムの構成を示す系統図である。
【００１９】
本実施形態のガスタービンシステムでは、空気３は、圧縮機２で圧縮された後、後置冷却器４を経て増湿塔５に入る。後置冷却器４には、増湿塔５の底部に貯留した液相水１３が、ポンプ２８によって供給され、また、補助水タンク２７に貯蔵された補助水が、ポンプ３０によって供給されている。
【００２０】
増湿塔５の内部には、ラシヒリング等の充填物によって形成される充填層６，７が上下２段に分割して設置されている。増湿塔５の内部では、高温液相水が充填層６，７の表面に形成する水膜と空気が接触して空気が昇温増湿され、高湿分空気となる。高湿分空気は、再生器８で加熱された後、燃焼器９で燃料と反応し高温のガスとなってタービン１０を駆動し、負荷１によって利用される。タービン１０の排ガスは、通常４００〜６００℃程度の高温であり、再生器８と給水加熱器１１を通過して熱回収が行われ、熱回収された後の排ガスは煙突１２から大気中へ排出される。
【００２１】
一方、増湿塔５に供給される高温液相水は、増湿塔内で空気中にその一部が蒸発することによって蒸発潜熱を奪われ、低温の液相水１３となる。低温の液相水１３は、増湿塔５から取り出されて、ポンプ２８，２９によって、後置冷却器４と給水加熱器１１へ送出され、熱回収媒体として用いられ、再び高温の液相水となり増湿塔５へ供給される。低温の液相水１３の温度が熱回収媒体として用いるには高すぎるときには、増湿塔５の下部に設けた伝熱管１４に冷却水を流して冷却する。
【００２２】
本実施形態では、分割された充填層の各個に液相水を供給する管路１５，１６，１７，１８およびその経路上の弁１９，２０，２１，２２と、分割された充填層の各個に空気を供給する管路２３，２４およびその経路上の弁２５，２６に特徴があり、これらを操作してシステムの起動停止を行うものである。すなわち、増湿塔５の内部は、充填層６，７によって２分割されているとともに、２分割されたそれぞれの領域に、液相水および空気を独立して供給できる構成となっている。充填層６に供給する液相水は、弁１９，２０によって制御可能であり、充填層７に供給する液相水は、弁２１，２２によって制御可能である。また、充填層６に供給する空気は、弁２５によって制御可能であり、充填層７に供給する空気は、弁２６によって制御可能である。
【００２３】
次に、システム起動時，停止時の弁１９，…，２２，２５，２６の開閉制御の動作について説明する。
【００２４】
システム起動時には、弁２６を全開、弁２５を全閉とし、モータ等の外部動力でガスタービンを起動し、続いて燃焼器に着火する。このときは、システム各部が低温なので、弁１９，２０，２１，２２を閉じて、増湿塔５には液相水を供給せず、増湿運転をしないようにする。
【００２５】
次に、ガスタービンの昇速を行い、自立運転を開始後に燃料流量を増やし初期負荷を併入する。そして各部の暖機が終了した後、負荷を上昇させ、増湿運転を開始する。
【００２６】
負荷が低い状態では、空気流量に対して燃料流量が少ないので、燃焼器９での安定燃焼のため、増湿量を少量にしておき、負荷が大きいときは燃料流量増加に伴って増湿量を多くする必要がある。そこで以下のように操作する。
【００２７】
初めに、液相水管路１７，１８上の弁２１，２２および空気管路２４上の弁２６を少しずつ開く。すると、充填層６には液相水が供給され、空気管路２４を通過した空気との接触が行われ、高湿分空気が得られる。この高湿分空気は、空気管路２３から供給された空気と混合し、湿分の低い状態で充填層７を通過するが、充填層７には液相水が供給されず乾燥しているので、空気の湿度はそれ以上上昇せず、増湿塔５から取り出される空気は湿分の低い状態である。
【００２８】
増湿量を増やすときには、弁２５を閉じていくことにより、充填層６を通過する空気量を増し、高湿分空気に対して混合する乾燥空気の割合を減らす。さらに増湿量を増やすときは、弁２５を全閉とした上で液相水管路１５，１６上の弁１９，２０を開き、充填層７にも液相水を供給する。すると、充填層６と充填層７の両方で気液接触面が形成され、増湿量が最大となる。
【００２９】
以上の操作は、増湿塔５の空気出口に設けた湿度センサＡか、又は図中にはない熱電対等の温度測定手段により増湿塔５の液相水出入口の水温を測定することによって、増湿塔５の出口の空気湿分を監視し、適切な値になるように各弁１９，…，２２，２５，２６を調節する。
【００３０】
システム停止操作の際には、上述とは逆の手順となる。すなわち、停止の際は、徐々に燃料投入量を減らして負荷を降下させるが、このとき燃空比の低下により燃焼器９では失火限界に近づくので、弁１９，２０を閉じて充填層７への液相水の供給を停止し、気液接触を充填層６のみに限ることにより増湿量を減らす。さらに、負荷が小さくなったら弁２５を開いて弁２６を閉じ、高湿分空気に乾燥空気を混入させることにより湿分を下げる。負荷が初期負荷と同程度に下がったところで弁２１，２２を閉止して、増湿塔５への液相水の供給を全て停止して乾燥空気による運転を行い、システム全体のガス通路を乾燥させ、負荷解列の後に燃料投入を停止して燃焼器を消火し、ガスタービンを停止する。
【００３１】
なお、上述の例では、増湿塔内を上下２段に分割し、それぞれに液相水，空気の流入管路を設ける例を示したが、さらに分割数を増やしてもよいものである。空気の代わりに、空気を主体とするガスを用いることもできる。
【００３２】
以上説明したように、本実施形態では、増湿塔内を上下に分割し、それぞれに供給する液相水，空気を制御可能として、高湿分ガスタービンシステムの起動時には、徐々に増湿することにより、安定した燃焼状態を得られるとともに、システム停止時には、徐々に増湿量を低減することにより、安定した燃焼状態を得られるとともに、次回の起動に備えることができる。
【００３３】
また、増湿塔の内部を上下に分割することにより、従来のように、２つの独立した増湿塔を直列に配置する場合に比べて、増湿塔は一つでよいため、設置面積を半減でき、設置場所の自由度も向上し、また、増湿塔のトータルの重量も低減できるものである。
【００３４】
次に、図２および図３を用いて、本発明の第２の実施形態による高湿分ガスタービンシステムに用いる増湿塔の構成について説明する。
図２は、本発明の第２の実施形態による高湿分ガスタービンシステムに用いる増湿塔の構成を示す斜視図であり、図３は、図２のＸ−Ｘ’断面図である。
【００３５】
本実施形態では、増湿塔５Ａの内部を隔壁によって周方向に複数の流路に分割し、液相水と空気が接触する流路の数を運転状態に応じ調節することに特徴がある。なお、図示した増湿塔５Ａを用いた本実施形態による高湿分ガスタービンシステムの系統図は、図１に示したものと同様である。
【００３６】
図２に示すように、増湿塔５Ａの内部は、充填層５５が隔壁５６によって円周方向に４つに分割されており、液相水と空気が接触する４つの流路が形成されている。各流路には、それぞれ液相水を供給する管路５７，５８，５９，６０と、その管路上の弁６１，６２，６３，６４が備えられている。充填槽５５の下部に接続された空気管路６５からは、空気が供給される。加湿された高湿分空気は、増湿塔５Ａの上部から、図１に示したように、再生器８で加熱され、燃焼器９に送出される。また、増湿塔５Ａの下部に溜まった低温の液相水１３は、図１に示したように、後置冷却器４や給水加熱器１１に送出される。また、図３に示すように、充填層５５は、隔壁５６によって、円周方向に、充填層５５ａ，５５ｂ，５５ｃ，５６ｄの４つに分割されている。
【００３７】
起動や停止の低負荷運転時に増湿量を小さくするときには、４つに分割された充填層の一部、たとえば充填層５５ａに液相水を供給する弁６４を開き、弁６１，６２，６３は閉じる。空気管路６５から流入した空気と液相水の接触は５５ａのみで行われ、５５ｂ，５５ｃ，５５ｄは乾燥空気が通過する。すると、増湿塔５Ａの出口では、充填層５５ａから取り出された高湿分空気と、他の流路から取り出された乾燥空気が混合し、湿分の低い空気を製造することができる。
【００３８】
増湿量を大きくしていくときには、他の充填層５５ｂ，５５ｃ，５５ｄに液相水を供給するように弁５９，６１，６２を順次開いて行けばよいものである。
【００３９】
なお、以上の説明では、流路を４つに分割する例を示したが、さらに分割数を増やしたり、又は減らしてもよいものである。
【００４０】
以上説明したように、本実施形態では、増湿塔内を円周方向に分割し、それぞれに供給する液相水を制御可能として、高湿分ガスタービンシステムの起動時には、徐々に増湿することにより、安定した燃焼状態を得られるとともに、システム停止時には、徐々に増湿量を低減することにより、安定した燃焼状態を得られるとともに、次回の起動に備えることができる。
【００４１】
また、増湿塔の内部を円周方向に分割することにより、従来のように、２つの独立した増湿塔を直列に配置する場合に比べて、増湿塔は一つでよいため、設置面積を半減でき、設置場所の自由度も向上し、また、増湿塔のトータルの重量も低減できるものである。
【００４２】
さらに、空気の供給管路は、１つだけであるため、圧力容器を用いる増湿塔をコンパクトにすることができる。すなわち、空気の供給管路は、直径が数十ｃｍと大きなものであるため、複数個の空気供給管路を増湿塔に取り付ける際には、取り付け用の大型フランジを増湿塔に備える必要があるが、空気供給管路を１つできることにより、フランジも１つでよく、増湿塔をコンパクトにできる。
【００４３】
次に、図４および図５を用いて、本発明の第３の実施形態による高湿分ガスタービンシステムに用いる増湿塔の構成について説明する。
図４は、本発明の第３の実施形態による高湿分ガスタービンシステムに用いる増湿塔の構成を示す斜視図であり、図５は、図４のＹ−Ｙ’断面図である。
【００４４】
本実施形態では、増湿塔５Ｂの内部を隔壁によって増湿塔の内部を隔壁によって半径方向に複数の流路に分割し、液相水と空気が接触する流路の数を運転状態に応じ調節することに特徴がある。なお、図示した増湿塔５Ｂを用いた本実施形態による高湿分ガスタービンシステムの系統図は、図１に示したものと同様である。
【００４５】
図４に示すように、増湿塔５Ｂの内部は、充填層６６が隔壁６７によって半径方向に２つに分割されており、液相水と空気が接触する２つの流路が形成されている。各流路には、それぞれ、液相水を供給する管路６８，６９，７０と、その管路上の弁７１，７２，７３が備えられている。加湿された高湿分空気は、増湿塔５Ｂの上部から、図１に示したように、再生器８で加熱され、燃焼器９に送出される。また、増湿塔５Ｂの下部に溜まった低温の液相水１３は、図１に示したように、後置冷却器４や給水加熱器１１に送出される。また、図５に示すように、充填層６６は、隔壁６７によって、半径方向に、充填層６６ａ，６６ｂの２つに分割され、２つの流路が形成されている。
【００４６】
起動や停止の低負荷運転時に増湿量を小さくするときには、２つに分割された充填層の一方、たとえば充填層６６ａに液相水を供給する弁７３を開き、弁７１，７２は閉じる。すると、液相水と空気の接触は、充填層６６ａのみで行われ、充填層６６ｂは乾燥空気が通過する。従って、増湿塔５Ｂの出口では６６ａから取り出された高湿分空気と６６ｂから取り出された乾燥空気が混合し、湿分の低い空気を製造することができる。
【００４７】
増湿量を大きくしていくときには、流路６６ｂにも液相水を供給するように弁７１，７２を開いて行けばよいものである。
【００４８】
なお、以上の説明では、流路を２つに分割する例を示したが、さらに分割数を増やしてもよいものである。
【００４９】
以上説明したように、本実施形態では、増湿塔内を半径方向に分割し、それぞれに供給する液相水を制御可能として、高湿分ガスタービンシステムの起動時には、徐々に増湿することにより、安定した燃焼状態を得られるとともに、システム停止時には、徐々に増湿量を低減することにより、安定した燃焼状態を得られるとともに、次回の起動に備えることができる。
【００５０】
また、増湿塔の内部を半径方向に分割することにより、従来のように、２つの独立した増湿塔を直列に配置する場合に比べて、増湿塔は一つでよいため、設置面積を半減でき、設置場所の自由度も向上し、また、増湿塔のトータルの重量も低減できるものである。
【００５１】
さらに、空気の供給管路は、１つだけであるため、圧力容器を用いる増湿塔をコンパクトにすることができる。すなわち、空気の供給管路は、直径が数十ｃｍと大きなものであるため、複数個の空気供給管路を増湿塔に取り付ける際には、取り付け用の大型フランジを増湿塔に備える必要があるが、空気供給管路を１つできることにより、フランジも１つでよく、増湿塔をコンパクトにできる。
【００５２】
次に、図６を用いて、本発明の第４の実施形態による高湿分ガスタービンシステムの構成について説明する。
図６は、本発明の第４の実施形態による高湿分ガスタービンシステムの構成を示す系統図である。なお、図１と同一符号は、同一部分を示している。
【００５３】
本実施形態では、２基の増湿塔５Ｃ，５Ｄを並列に設置し、増湿運転を行う増湿塔の基数を運転状態に応じ変化させるようにしている。増湿塔５Ｃ，５Ｄは、それぞれ、液相水を供給する管路３１，３２，３３，３４と、その管路上の弁３５，３６，３７，３８と、空気を供給する管路３９，４０と、その管路上の弁４１，４２とを備えている。
【００５４】
起動や停止の低負荷運転時に増湿量を小さくするときには、液相水を供給する管路の弁３６，３７を開いて弁３５，３８を閉じ、増湿塔５Ｃのみに液相水を供給する。すなわち、増湿量を小さくしたいときには増湿操作を増湿塔５Ｃによってのみ行い、増湿塔５Ｄは乾燥空気が通過する状態とし、増湿塔５Ｃから得られる高湿分空気と増湿塔５Ｄから得られる乾燥空気を混合して、湿分の低い空気を製造する。また、このときに空気を供給する経路上の弁４１，４２の開度を調節して増湿塔５Ｃと増湿塔５Ｄへ供給する空気流量の配分を変えれば、さらに湿分の微小な制御も可能である。
【００５５】
増湿量を大きくするときには、弁３５，３８を開いて増湿塔５Ｄにも液相水を供給し、増湿塔５Ｃ，５Ｄの両方で増湿運転を行う。
【００５６】
なお、以上の説明では、２基の増湿塔による構成を示したが、さらに増湿塔基数を増やしてもよいものである。
【００５７】
以上説明したように、本実施形態では、複数基の増湿塔を用い、それぞれを並列に配置するとともに、それぞれに供給する液相水を制御可能として、高湿分ガスタービンシステムの起動時には、徐々に増湿することにより、安定した燃焼状態を得られるとともに、システム停止時には、徐々に増湿量を低減することにより、安定した燃焼状態を得られるとともに、次回の起動に備えることができる。
【００５８】
また、複数基の増湿塔を並列配置して用いることにより、従来のように、２基の増湿塔を直列に配置する場合に比べて、１基の増湿塔の断面積を小さくでき、増湿塔を小型化することができる。すなわち、従来のように、２基の増湿塔を直列配置する場合、それぞれの増湿塔には同量の空気を流す必要があるのに対して、２基を並列配置し、例えば、両者を同一の大きさのものとすると、１基の増湿塔に流れる空気量は１／２にすることができ、従って、１基の増湿塔の断面積を１／２にでき、増湿塔の直径は、１／√２にすることができる。したがって、容器肉厚が薄く軽量となり、塔体も小型となるため、輸送や据付が容易となり、設置場所の自由度も向上する。
【００５９】
【発明の効果】
本発明によれば、高湿分ガスタービンシステムの設置場所の自由度が大きくし、増湿塔の重量を低減することができ、また、高湿分ガスタービンシステムの起動停止時に、安定した燃焼状態を得られるとともに、次回の起動に備えることができる。
【００６０】
また、高湿分ガスタービンシステムの設置場所の自由度をさらに大きくすることができる。
【図面の簡単な説明】
【図１】本発明の第１の実施形態による高湿分ガスタービンシステムの構成を示す系統図である。
【図２】本発明の第２の実施形態による高湿分ガスタービンシステムに用いる増湿塔の構成を示す斜視図である。
【図３】図２のＸ−Ｘ’断面図である。
【図４】本発明の第３の実施形態による高湿分ガスタービンシステムに用いる増湿塔の構成を示す斜視図である。
【図５】図４のＹ−Ｙ’断面図である。
【図６】本発明の第４の実施形態による高湿分ガスタービンシステムの構成を示す系統図である。
【符号の説明】
１…負荷
２…圧縮機
３…空気
４…後置冷却器
５，５Ａ，５Ｂ，５Ｃ，５Ｄ…増湿塔
６，７，５５，６６…充填層
８…再生器
９…燃焼器
１０…タービン
１１…給水加熱器
１２…煙突
１３…液相水
１４…伝熱管
１５，１６，１７，１８，３１，３２，３３，３４，４３，４４，４５，４６，５７，５８，５９，６０，６８，６９，７０…液相水管路
１９，２０，２１，２２、２５，２６，３５，３６，３７，３８，４１，４２、４７，４８，４９，５０，５３，５４，６１，６２，６３，６４，７１，７２，７３…弁
２３，２４，３９，４０、５１，５２，６５…空気管路
２７…補給水タンク
２８，２９，３０…ポンプ
５６，６７…隔壁
【図１】
0004020601.tif 000002
【図２】
0004020601.tif 000003
【図３】
0004020601.tif 000004
【図４】
0004020601.tif 000005
【図５】
0004020601.tif 000006
【図６】
0004020601.tif 000007